(57)【要約】【課題】液体容器用吐出器乃至ノズルヘッドに封緘機能を持たせることにより、不正行為を防止できるようにすること、或いは、異物の進入を防止できるようにする。【解決手段】  液体容器用吐出器の本体２への連結用の通液管２６が、頂壁２３の裏面側から、またヘッド周壁２４が頂壁２３の外周部からそれぞれ垂下され、その頂壁２３又はヘッド周壁２４から、通液管２６と連通するノズル３２が側外方へ突出されたヘッド本体２２と、前記ヘッド本体２２の外面に設けられ、ヘッド本体２２の側面Ｅのうち少なくともノズル３２の先端面ｅを覆う封緘壁５０を含む封緘カバー４０とを具備する。前記封緘壁５０は、ノズルからの吐出ができない封緘状態で前記ヘッド本体２２乃至吐出器本体２の外周へ係止されている。封緘壁５０の一部はヘッド本体２２乃至吐出器本体２の外面から原状復帰不能に離脱して封緘状態を解除するための分離用片Ｄである。【選択図】図１
2018058598.tif 000002
【特許請求の範囲】
【請求項１】
液体容器用吐出器の本体(２)への連結用の通液管(２６)が、頂壁(２３)の裏面側から、またヘッド周壁(２４)が頂壁(２３)の外周部からそれぞれ垂下され、その頂壁(２３)又はヘッド周壁(２４)から、通液管(２６)と連通するノズル(３２)が側外方へ突出されてなるヘッド本体(２２)と、
前記ヘッド本体(２２)の外面に設けられ、ヘッド本体(２２)の側面(Ｅ)のうち少なくともノズル(３２)の先端面(ｅ)を覆う封緘壁(５０)を含む封緘カバー(４０)と、
を具備するノズルヘッドであって、
前記封緘壁(５０)は、ノズルからの吐出ができない封緘状態で前記ヘッド本体(２２)乃至吐出器本体(２)の外周へ係止されており、
前記封緘壁(５０)の一部がヘッド本体(２２)乃至吐出器本体(２)の外面から原状復帰不能に離脱して封緘状態を解除するための分離用片(Ｄ)として形成されていることを特徴とする、液体容器用吐出器のノズルヘッド。
【請求項２】
前記封緘カバー(４０)は、前記頂壁(２３)からノズル(３２)の先端部(３４)に亘ってヘッド本体(２２)の上面を覆う天板(４２)を有し、この天板(４２)の外周から、少なくとも前記ノズル(３２)の先端面(ｅ)を含むヘッド本体(２２)の側面(Ｅ)を覆う封緘壁(５０)を垂下させ、
封緘壁(５０)が有する係止部(Ｓ)を前記ヘッド周壁(２４)乃至吐出器本体(２)へ係止させるように設けられ、かつ
前記封緘壁(５０)の一部を、封緘壁の残りの部分からの分離用片(Ｄ)とし、この分離用片(Ｄ)を切除することにより、前記封緘状態が解除されるように形成したことを特徴とする、請求項１に記載の液体容器用吐出器のノズルヘッド。
【請求項３】
前記分離用片(Ｄ)は、前記封緘壁(５０)の一部であってノズル(３２)の先端面(ｅ)を覆う箇所で形成され、封緘カバー(４０)の残りの部分がヘッド本体(２２)に係止された状態のままで分離用片(Ｄ)のみを除去することが可能に形成したことを特徴とする、請求項２記載の液体容器用吐出器のノズルヘッド。
【請求項４】
前記分離用片(Ｄ)は、前記封緘壁(５０)の一部であって前記係止部(Ｓ)を含む箇所で形成され、分離用片(Ｄ)を除去することで封緘カバー(４０)をノズルヘッド(２０)から外せるように構成したことを特徴とする、請求項２記載の液体容器用吐出器のノズルヘッド。
【請求項５】
上方にステム(１６)を突出するとともに容器体口頸部への装着部材(４)を有する吐出器本体(２)と、前記ステム(１６)に前記通液管(２６)を固定させた請求項１から請求項４の何れかに記載のノズルヘッド(２０)とを具備した吐出器であり、
前記装着部材(４)は、口頸部(１０２)に対する封緘手段(６)を有することを特徴とする液体容器用吐出器。
【発明の詳細な説明】
【技術分野】
【０００１】
本発明は、液体容器用吐出器及び液体容器用吐出器のノズルヘッドに関するものである。
【背景技術】
【０００２】
従来、ノズルヘッド付きの液体吐出器として、容器体の口頸部に嵌合された装着部材により、上部を固定され容器体内へ垂設されたシリンダと、シリンダ内へ下半部を上方付勢状態で挿入した作動部材と、シリンダの上端に付設された、作動部材抜止め用の環状のキャップ状部材とからなるものが知られている（特許文献１）。
前記作動部材は、嵌合用筒の下端からフランジ状壁部を外方突出してなるピストンガイドと、前記嵌合用筒に嵌合され、上方へ起立するステムと、ステムの下端の拡径筒部とフランジ状壁との間に昇降可能に配置され、シリンダ内面を摺接する筒状ピストンと、前記ステムの上端に取り付けられたノズルヘッドと、を有する。
【先行技術文献】
【特許文献】
【０００３】
【特許文献１】特開２０１５−８５９９１
【発明の概要】
【発明が解決しようとする課題】
【０００４】
特許文献１の吐出器は、ノズルの先端がむき出しであるため、ノズル孔に埃などが入るおそれがあり、衛生的ではない。
またこの種の吐出器では、内容液を試用するためにノズルヘッドを不正に押し下げようとする場合があるが、さらには内容液の香りを嗅ぐために、ステムからノズルヘッドを、或いはシリンダからキャップ部材を外したりすることがある。そうして、元の形に戻すと、取り外されたどうか判らなくなってしまう。これらの行為を是正して、一般の需要者が安心して製品を購入できるようにすることが要望されている。
【０００５】
本発明の目的は、液体容器用吐出器ないしはそのノズルヘッドに封緘機能を持たせることにより、不正行為を防止できるようにすること、或いは、異物の進入を防止できるようにすることである。
【課題を解決するための手段】
【０００６】
第１の手段は、液体容器用吐出器の本体２への連結用の通液管２６が、頂壁２３の裏面側から、またヘッド周壁２４が頂壁２３の外周部からそれぞれ垂下され、その頂壁２３又はヘッド周壁２４から、通液管２６と連通するノズル３２が側外方へ突出されてなるヘッド本体２２と、
前記ヘッド本体２２の外面に設けられ、ヘッド本体２２の側面Ｅのうち少なくともノズル３２の先端面ｅを覆う封緘壁５０を含む封緘カバー４０と、
を具備するノズルヘッドであって、
前記封緘壁５０は、ノズルからの吐出ができない封緘状態で前記ヘッド本体２２乃至吐出器本体２の外周へ係止されており、
前記封緘壁５０の一部がヘッド本体２２乃至吐出器本体２の外面から原状復帰不能に離脱して封緘状態を解除するための分離用片Ｄとして形成されている。
【０００７】
本手段は、図１に示すように、ノズルヘッド２０を、ノズル３２を有するヘッド本体２２と封緘カバー４０とで構成することを提案する。封緘カバー４０は、ノズル孔３６を覆う封緘壁５０を含み、図１〜図３に示す如くヘッド本体２２へ係止されることにより、或いは図４〜図７に示す如く吐出器本体２へ係止させることにより、封緘状態を保持している。また封緘壁５０の一部には、ヘッド本体２２乃至吐出器本体２の外面から原状復帰不能に離脱して封緘状態を解除するための分離用片Ｄが形成されている。封緘状態を解除すると封緘壁５０は元の状態に戻らないので、不正行為があったときには、その痕跡が確実に残る。従って不正行為を抑止することができる。
【０００８】
第２の手段は、第１の手段を有し、かつ
前記封緘カバー４０は、前記頂壁２３からノズル３２の先端部３４に亘ってヘッド本体２２の上面を覆う天板４２を有し、この天板４２の外周から、少なくとも前記ノズル３２の先端面ｅを含むヘッド本体２２の側面Ｅを覆う封緘壁５０を垂下させ、
封緘壁５０が有する係止部Ｓを前記ヘッド周壁２４乃至吐出器本体２へ係止させるように設けられ、かつ
前記封緘壁５０の一部を、封緘壁の残りの部分からの分離用片Ｄとし、この分離用片Ｄを切除することにより、前記封緘状態が解除されるように形成した。
【０００９】
本手段では、封緘カバー４０は天板４２の外周から封緘カバー４０を垂下してなり、ヘッド本体２２に被せて使用している。封緘壁５０、係止部Ｓ、分離用片Ｄなどの特別な構造は封緘カバー４０に設けられているため、ヘッド本体２２の形態は基本的な一種類の形態で足りる。顧客の様々な要望に応じて複数の封緘カバー４０を用意して、それを一種類のノズルヘッド２０に組み付ければよいから、ノズルヘッドの組立作業がシンプルとなる。
【００１０】
第３の手段は、第２の手段を有し、かつ
前記分離用片Ｄは、前記封緘壁５０の一部であってノズル３２の先端面ｅを覆う箇所で形成され、封緘カバー４０の残りの部分がヘッド本体２２に係止された状態のままで分離用片Ｄのみを除去することが可能に形成した。
【００１１】
本手段では、図１〜図３に示すように、分離用片Ｄがノズル３２の先端面ｅを覆う箇所で形成されている。ノズルヘッド式の吐出器のノズルは人目に付き易い場所であるから、封緘カバー４０のうちノズルを覆う場所のみが欠けていると、人目に付き易い。このように不正行為の痕跡が目立つ場所にできるので、不正行為が発覚し易い。
【００１２】
第４の手段は、第２の手段を有し、かつ
前記分離用片Ｄは、前記封緘壁５０の一部であって前記係止部Ｓを含む箇所で形成され、分離用片Ｄを除去することで封緘カバー４０をノズルヘッド２０から外せるように構成した。
【００１３】
本手段では、図４〜図７に示す如く、分離用片Ｄが係止部Ｓを含む箇所で形成されるため、分離用片Ｄを除去することにより、封緘カバー４０全体を除去できる。需要者が商品を購入した後に不必要となった封緘カバーを取り除いて、無駄のない吐出器本来の形態で使用することができる。
【００１４】
第５の手段は、
上方にステム１６を突出するとともに容器体口頸部への装着部材４を有する吐出器本体２と、前記ステム１６に前記通液管２６を固定させた第１の手段から第４の手段の何れかに記載のノズルヘッド２０とを具備した吐出器であり、
前記装着部材４は、口頸部１０２に対する封緘手段６を有する。
【００１５】
本手段は、吐出器本体２のステム１６からノズルヘッド２０を取り外し、或いは容器体の口頸部から吐出器本体２を取り外すような不正行為を困難とする態様を提案する。
【発明の効果】
【００１６】
第１の手段に係る発明によれば、ノズルヘッドを、封緘壁５０を有する封緘カバー４０とヘッド本体２２とからなる簡易な構成で形成され、ノズル孔３６を覆う封緘壁５０を係止部Ｓによりヘッド本体乃至吐出器本体に係止させることで、封緘状態を保持するとともに、封緘壁５０の一部である分離用片Ｄがヘッド本体乃至吐出器本体の外面から原状復帰不能に離脱することにより封緘状態を解除できるように設けたから、簡単な構成で不正取出しを効果的に抑止でき、製造コストを廉価にすることができる。
第２の手段によれば、ヘッド本体２２とは別体である封緘カバー４０に封緘壁５０・分離用片Ｄ・係止部Ｓを設け、これら各機能を封緘カバー４０に集約させたから、ヘッド本体２２の形態を、スタンダードな１種類の形態とし、そして顧客の要望に合わせて封緘カバー４０の構造を様々にアレンジし、顧客の要望に合わせて選択することが可能となり、組立性が向上する。
第３の手段によれば、前記分離用片Ｄは、前記封緘壁５０の一部であってノズル３２の先端面ｅを覆う箇所で形成され、封緘カバー４０の残りの部分がヘッド本体２２に係止された状態のままで分離用片Ｄのみを除去することが可能に形成しており、ノズルは人目に付き易い場所なので、不正行為の痕跡に気が付き易い。
第４の手段によれば、前記分離用片Ｄは、前記封緘壁５０の一部であって前記係止部Ｓを含む箇所で形成され、分離用片Ｄを除去することで封緘カバー４０をノズルヘッド２０から外せるように構成したから、需要者が商品を購入した後には、役目を終えた封緘カバーを廃棄することができる。
第５の手段に係る発明によれば、容器体の口頸部に対する封緘手段６を備えた吐出器本体２のステム１６に第１の手段から第５の手段のいずれかに記載のノズルヘッドの通液管２６が固定されたから、ステムからノズルヘッドを、或いは、口頸部から吐出器本体を不正に取り外す行為が困難となる。
【図面の簡単な説明】
【００１７】
【図１】本発明の第１実施形態の液体容器用吐出器を容器体に装着した状態の縦断面図である。
【図２】図１の吐出器の平面図である。
【図３】図１の吐出器のヘッド本体に封緘カバーを組み付ける作業の説明図である。
【図４】本発明の第２実施形態の液体容器用吐出器を容器体に装着した状態の縦断面図である。
【図５】図４の吐出器の平面図である。
【図６】図４の吐出器の要部断面図である。
【図７】図４の吐出器の背面図である。
【発明を実施するための最良の形態】
【００１８】
図１から図３は、本発明の第１実施形態に係る液体容器用吐出器である。この吐出器１は、吐出器本体２と、ノズルヘッド２０とで構成される。これらの部材は、例えば合成樹脂や金属で形成することができる。
【００１９】
吐出器本体２は、装着部材４と、ポンプシリンダ８と、キャップ状部材１０と、作動部材本体１４と、補助筒部材１８とで形成されている。
【００２０】
装着部材４は、容器体１００の口頸部１０２外面へ嵌合（図示例では螺合）可能な装着筒部４ａを有し、その装着筒部４ａの上端から内向きフランジ部４ｂを内方突出している。
装着筒部４ａの下端には封緘手段６が付設されている。図示の封緘手段６は、装着筒部４ａの下端に複数の破断片６ｂを介して、口頸部１０２を囲む封緘リング６ａを連結するとともに、封緘リング６ａの内面から弾性を有する複数の爪部６ｃを上内方へ突出して形成してなる。
これらの爪部６ｃは、前記口頸部１０２の外面に付設された横方向の係合リブ１０４の下面に係止されている。前記爪部６ｃは、装着部材４を口頸部１０２に嵌合させるときには、前記係合リブ１０４と接触して外側に押し込まれ、係合リブ１０４を乗り越えたときに、内方へ広がって係合リブ１０４の下面に係止するように形成されている。もっともこれらの構造は適宜変更することができる。
【００２１】
前記ポンプシリンダ８は、シリンダ周壁８ａの上部に鍔部８ｂを有する。この鍔部８ｂを、パッキンＰを介して前記内向きフランジ部４ｂと口頸部１０２の上端との間に挟持させることにより、前記ポンプシリンダ８は容器体１００内に支持されている。ポンプシリンダ８の下端からは吸上げパイプ９が垂下されている。シリンダ周壁８ａの下部内には第１逆止弁（図示せず）が形成されている。また前記シリンダ周壁８ａを鍔部８ｂ上方へ延長して延長筒部８ｃを形成している。
【００２２】
キャップ状部材１０は、後述の作動部材本体１４及び補助筒部材１８の抜け止めのために、ポンプシリンダ８に対して、好ましくは取り外しできないように固定されている。
図示例のキャップ状部材１０は、連結壁部ｃで内筒部１１Ａ及び外筒部１１Ｂの上端を連結してなる嵌合基部１０ａを有し、前記連結壁部ｃを側外方へ延長して、この延長壁部の外周からキャップ筒部１０ｂを垂下している。さらに前記嵌合基部１０ａの内筒部１１Ａから上方へ取付筒部１０ｃが延設されている。
そして前記嵌合基部１０ａの内筒部１１Ａ及び外筒部１１Ｂの間に前記延長筒部８ｃを挟持し、嵌着している。
【００２３】
作動部材本体１４は、従来公知の構造であり、例えば前記特許文献１と同様の構成とすることができる。すなわち、嵌合用筒の下端からフランジ状壁部を外方突出してなるピストンガイド（図示せず）と、前記嵌合用筒に嵌合され、上方へ起立するステム１６と、ステムの下端の拡径筒部とフランジ状壁部との間に昇降可能に配置された筒状ピストン（図示せず）とを有する。
前記筒状ピストンは、シリンダ周壁８ａの内面に摺接する大径筒部及び前記拡径筒部に摺接する小径筒部からなる２重筒状に形成されている。
前記フランジ状壁部と筒状ピストンの小径筒部との間に第２逆止弁が設けられており、この第２逆止弁とステムの内部とを連通する通液孔がステム又はピストンガイドの適所に設けられている。
作動部材本体１４とポンプシリンダ８の下部との間には、作動部材を上方へ付勢するコイルスプリングが介装されている。
一般的には、作動部材本体のステムにノズルヘッドを付設したものを、作動部材と言うが、本明細書では、作動部材本体とノズルヘッドとを別々に説明する。
【００２４】
補助筒部材１８は、前記ステム１６と、シリンダ周壁８ａ及びキャップ状部材１０との間に昇降可能に配置されており、シリンダ周壁８ａの上部に形成された通気孔（図示せず）を、作動部材の昇降に応じて開閉する機能を有する。補助筒部材１８の下半部は段差部（図示せず）を介して大径に形成されており、その段差部がキャップ状部材１０の下端に係止することにより、補助筒部材１８及び作動部材本体１４の上方抜出しを防止している。なお、補助筒部材は、省略しても構わない。
なお、上述の特許文献１の構造は一例に過ぎず、その他従来公知の構造を採用できる。
【００２５】
前述の吐出器本体２の公知の作用を簡単に説明する。そのステム１６にノズルヘッド２０を取り付け、装着部材４を容器体１００の口頸部１０２に取り付けて、作動部材を押し下げると、第１逆止弁が閉じ、第２逆止弁が開いてポンプシリンダ８内の液体がステム１６を介してノズル３２から吐出され、押下げを解放すると、作動部材が押し上げられて、第２逆止弁が閉じるとともに第１逆止弁が開き、容器体内の液体が第１逆止弁を介してポンプシリンダ８内へ入る。
【００２６】
ノズルヘッド２０は、ヘッド本体２２と封緘カバー４０とで構成される。
【００２７】
ヘッド本体２２は、図示例において、頂壁２３の外周から大径のヘッド周壁２４を、頂壁２３の裏面から中径の取付周壁２８及び小径の通液管２６をそれぞれ同心状に垂下している。もっともこれらの構造は適宜変更することができる。
前記ヘッド周壁２４の下端には鍔状に外方突出する被係止部Ｒが形成されている。
前記取付周壁２８は、図１の状態において、前記取付筒部１０ｃの外面に離脱可能に嵌合（図示例では螺合）されている。
前記通液管２６は、前記ステム１６の上端部に、好ましくは取り外し不能に嵌着・固定されている。図示例では、通液管２６の下部外面とステム１６の上部内面と相互にかみ合う抜止め用の凹凸手段を周設している。
また本実施形態においては、前記頂壁２３から、通液管２６と連続しかつ縦管部３２ａ及び横管部３２ｂからなる逆Ｌ字形のノズル３２が前方突出されている。なお、本明細書においては、便宜的に、図１の左側を前方と、同図の右側を後方といい、またこれらと直交する方向を左右方向というものとする。図示例のノズル３２の先端面ｅは斜め下向きに形成されている。
【００２８】
封緘カバー４０は、前記頂壁２３からノズル３２の先端部３４に亘ってヘッド本体２２の上面を覆う天板４２を有し、この天板４２の外周から封緘壁５０を垂下させている。
図示例では、前記頂壁２３及びノズル３２の上面が、後ろ側から前側に向かって徐々に先細りした形状になっており、これに対応して天板４２も同様の先細り形状となっている（図２参照）。
【００２９】
封緘壁５０は、少なくとも前記ノズル３２の先端面ｅを含むヘッド本体２２の側面Ｅを覆うように形成されている。
図示例においては、封緘壁５０のうち、図２に示す如く、頂壁２３を覆う天板部分から垂下する第１封緘壁部分５０ａは、頂壁２３下方まで長く設け、他方、ノズル３２の上面を覆う天板部分から垂下された第２封緘壁部分５０ｂは、ノズル３２の径と同程度に短く設けられている（図３参照）。
そして第１封緘壁部分５０ａの下端内面には、係止部Ｓである係止リブが付設されており、図１に示す如く、この係止部Ｓが前記被係止部Ｒの下面に係止するように設けられている。
また第１封緘壁部分５０ａの後部内面には当接リブ５２が縦設させれており、この当接リブ５２の下面が前記頂壁２３の上面後端部に当接されるように設けている。
前記第２封緘壁部分５０ｂのうちノズル３２の先端部３４を覆う前壁部分は、分離線Ｗにより、天板４２及び残りの第２封緘壁部分から分離可能に区分され、分離用片Ｄとして形成されている。前記分離線は、その全部を弱化線やミシン目などで形成される破断線ｗ１としてもよく、一部を破断線ｗ１とし、残りの部分をスリットなどの切割りｗ２とすることができる。図示例では、図２に示す如く、前記前壁部分の上縁側と天板４２との間に破断線ｗ１を、また前壁部分の左右両側と残りの第２封緘壁部分との間に切割りｗ２をそれぞれ形成している。そして前壁部分を図２に示すように左右方向一方に延長し、その延長部分を摘みｇとしている。この摘みを摘まんで破断線ｗ１を中心に分離用片Ｄを回転させるようにひねると、破断線ｗ１が切れて、分離用片Ｄを分離させることができる。
なお、図示例と異なり、前記前壁部分の上側と左右両側の一方に切割りを、前壁部分の左右両側の他方に破断線をそれぞれ設け、左右両側の一方へ摘みｇを突設させてもよい。
また図示例の分離用片Ｄは、ノズル３２の先端面ｅに添って斜めに配置され、ノズル３２のノズル孔３６を実質的に密閉している。
この封緘カバー４０をヘッド本体２２に組み付けるときには、図３に示すように、まず封緘カバー４０を前側に傾けて、第２封緘壁部分５０ｂ内にノズル３２の先端部３４を挿入し、次に封緘カバー４０の後部を白矢印の如く、下げて、係止部Ｓを被係止部Ｒに係止させればよい。この手順により、意に反して破断線ｗ１を破断させることを回避することができる。
【００３０】
前記構成において、また封緘手段６の爪部６ｃが口頸部１０２の係合リブ４０下面に係止しているので、装着部材４を口頸部１０２から外そうとすると、破断片６ｂが破断して封緘リング６ａが口頸部１０２に残るで、不正行為の痕跡が残り、こうした行為を行い難くなる。
また容器体に装着された本発明の吐出器を使用するときには、図２の状態から摘みｇを把持し、破断線ｗ１を破断させて、分離用片Ｄを除去すればよい。これによりノズル３２のノズル孔３６が開き、封緘状態が解けるので、通常通り使用できる。店頭に並べられた商品に関して不正に開封操作をすると、分離用片Ｄを除去した後が不正使用の痕跡となり、もとの状態に戻すこともできないので、不正使用の痕跡が明瞭となる。
【００３１】
以下、本発明の他の実施形態について説明する。これらの説明において第１実施形態と同じ構成については解説を省略する。
【００３２】
図４〜図７は、本発明の第２実施形態の液体容器用吐出器を示している。本実施形態が第１実施形態と異なる主要な点は、分離用片Ｄの位置を第２封緘壁部分５０ｂから第１封緘壁部分５０ａへ変更したことであるが、説明の順序として、その周囲の構成から説明する。
ヘッド本体２２は、図示例において、頂壁２３の外周から大径のヘッド周壁２４を、頂壁２３の裏面から中径の取付周壁２８及び小径の通液管２６をそれぞれ同心状に垂下している。
【００３３】
前記ヘッド周壁２４から、前記通液管２６と連通するノズル３２を前方突出している。このノズル３２の上面と頂壁２３の上面とはほぼ面一になっている。図５に点線で示す如く、ノズル３２の左右両側の適所（図示例では長手方向中間部）には、一対の係合凹部３８が形成されている。
図示例のノズル３２は、ヘッド周壁２４側で巾広であり、先端側に向かって徐々に巾狭になっているが、その形状は適宜変更することができる。
【００３４】
封緘カバー４０は、前記頂壁２３及びノズル３２の各上面に載置されかつ当該上面へ覆合させた天板４２を有し、この天板４２の外周から封緘壁５０を垂下している。第１実施形態と同様に、天板４２の外周のうち上方から見てヘッド本体２２の輪郭と重なる部分からは、第１封緘壁部分５０ａを、またノズル３２の輪郭と重なる部分からは第２封緘壁部分５０ｂがそれぞれ垂下されている。第１封緘壁部分５０ａの下端の周方向の一部には、図６に示す如く、係止部Ｓが形成されている。図示例の係止部Ｓは、前記被係止部Ｒの下面に係止する内リブとして形成されているが、その構造は適宜変更することができる。
【００３５】
前記係止部Ｓを形成した箇所の壁部分は、第１係止壁部の残りの部分との境に分離線Ｗを設けることにより、分離用片Ｄに形成として形成される。
好適な図示例では、図７に示す如く、係止部Ｓを含む帯状の壁部分の両側に２本の破断線ｗ１を形成するとともに、帯状の壁部分と天板４２との間に切割りｗ２を形成している。これにより、帯状の分離用片Ｄの上端部は摘みｇとして把持することができる。この摘みを摘まんで図７に矢示するように引っ張ると、前記破断線ｗ１が破断する。そして分離用片Ｄを除去すると、封緘カバー４０全体をヘッド本体２２から容易に取り外すことができる。しかしながら、その構成は適宜変更することができ、分離用片Ｄは、最低限、係止部Ｓを取り外してヘッド本体２２への封緘カバー４０の係止状態を解除することができればよい。
前記分離用片Ｄは、第１封緘壁部分５０ａのどこに設けても構わないが、少なくとも係止部Ｓを形成した箇所を含む必要がある。図示例では、ノズル３２の突出方向とは反対側、すなわち第１封緘壁部分５０ａの後端部に係止されている。
【００３６】
第２封緘壁部分５０ｂは、ノズル３２の上下巾と同程度の垂下長さを有する。第２封緘壁部分５０ｂの前壁部５３は、ノズル３２の先端面ｅと向かい合っており、前方からみてノズル３２のノズル孔３６を覆っている。前壁部５３は、図４に示すように垂直壁部に形成されている。この構成によれば、前記摘みｇを引っ張ることで分離用片を破断させた後に、単に封緘カバー４０を真上に引き上げることで、封緘カバー４０を外すことができる。また、第２封緘壁部分５０ｂの内面のうち前記係合凹部３８と対応する箇所には、この係合凹部と嵌り合う一対の係合凸部５４が設けられている。なお、図示例とは反対に第２封緘壁部分に係合凹部を、ノズル３２に係合凸部を設けても構わない。
【００３７】
また本実施形態では、通液管２６の上部外面には縦リブ２７が設けられており、図１の状態でステム１６及び補助筒部材１８の各上端を当接（或いは近接）させている。
なお、前記取付筒部１０ｃは、取付周壁２８の内面に代えて、通液管２６の外面に螺合させてもよい。この場合には、ステム１６の上部を通液管２６の内面に嵌合させて、通液管２６の外面に縦リブを設けることを省略し、さらに補助筒部材も省略すればよい。
【００３８】
前記構成において、図４の状態では、封緘カバー４０は、後側では前記係止部Ｓが被係止部Ｒに係止しており、また前側では前記係合凸部５４と係合凹部３８とが嵌合していることにより、ヘッド本体２２に対して組み付けられており、不意に他物に触れても容易に脱落しないようになっている。もっとも係合凸部５４及び係合凹部３８は補助的な係合手段であり、省略しても構わない。
封緘状態を解除するときには、図４の状態から、摘みｇを摘まんで、同図に想像線で描いたように後方へ引き、破断線ｗ１を破断させて、分離用片Ｄを除去する。そして封緘カバー４０を上方に引き上げて取り外せばよい。不正に開封操作をすると、分離用片Ｄを元の状態に戻すことができないので、不正行為が容易に発覚する。
【符号の説明】
【００３９】
１…吐出器
２…吐出器本体  ４…装着部材４ａ…装着筒部  ４ｂ…内向きフランジ部
６…封緘手段  ６ａ…封緘リング  ６ｂ…破断片  ６ｃ…爪部
８…ポンプシリンダ  ８ａ…シリンダ周壁  ８ｂ…鍔部  ８ｃ…延長筒部
９…吸上げパイプ
１０…キャップ状部材  １０ａ…装着基部  １０ｂ…キャップ筒部  １０ｃ…取付筒部
１１Ａ…内筒部  １１Ｂ…外筒部
１４…作動部材本体  １６…ステム  １８…補助筒部材
２０…ノズルヘッド  ２２…ヘッド本体  ２３…頂壁
２４…ヘッド周壁  ２６…通液管  ２７…縦リブ
２８…取付周壁
３２…ノズル  ３２ａ…縦管部  ３２ｂ…横管部
３４…先端部  ３５…オリフィス板  ３６…ノズル孔 ３８…係合凹部
４０…封緘カバー
４２…天板  ４４…基部  ４６…先部
５０…封緘壁  ５０ａ…第１封緘壁部分  ５０ｂ…第２封緘壁部分
５２…当接リブ  ５３…前壁部  ５４…係合凸部
ｃ…連結壁部（キャップ状部材の）  Ｄ…分離用片  Ｅ…側面（ヘッド本体の）
ｅ…先端面（ノズルの）  ｇ…摘み
Ｐ…パッキン  Ｒ…被係止部（被係止孔）  Ｓ…係止部（係止突片）
Ｗ…分離線  ｗ１…破断線  ｗ２…切割り
１００…容器体  １０２…口頸部  １０４…係合リブ
【図１】
2018058598.tif 000003
【図２】
2018058598.tif 000004
【図３】
2018058598.tif 000005
【図４】
2018058598.tif 000006
【図５】
2018058598.tif 000007
【図６】
2018058598.tif 000008
【図７】
2018058598.tif 000009